(57)【要約】【課題】  ダイヤル入力の途中で、その電話番号が蓄積データに含まれているか否かを表示することが可能な電話装置の提供。【解決手段】  バックライトにより背景色を変化させることができるモニタ４を備え、発信者がダイヤルする際、比較部１１は入力中のダイヤル番号数字列と、データ蓄積部５内の電話帳データ蓄積部２１、リダイヤルデータ蓄積部２２、着信履歴データ蓄積部２３に含まれる電話番号数字列とを先頭から１桁ごとに逐次比較し、ダイヤル中の数字列がデータ蓄積部５に含まれる可能性がある場合、モニタバックライト制御部１２はモニタ４のモニタ色をＡ色からＢ色に変更する。【選択図】      図１
2008124943.tif 000002
【特許請求の範囲】
【請求項１】
所定の電話番号が蓄積される蓄積手段を含む電話装置であって、
入力される電話番号と、前記蓄積手段に蓄積された電話番号とを先頭から１桁ごとに比較する比較手段と、
前記電話番号同士を１桁比較するたびに、その比較結果を表示する表示手段とを含むことを特徴とする電話装置。
【請求項２】
前記表示手段は表示を制御する表示制御部と、表示を行う表示部とを含んで構成され、
前記表示部はバックライト付液晶表示装置であり、前記表示制御部は前記電話番号同士の比較結果に応じて前記バックライトの色を変更することを特徴とする請求項１記載の電話装置。
【請求項３】
前記蓄積手段に蓄積される電話番号は用途別に分類されており、前記表示制御部は前記電話番号同士の比較結果に応じて前記バックライトの色を用途別に変更することを特徴とする請求項２記載の電話装置。
【請求項４】
前記電話番号は電話帳データ、リダイヤルデータおよび着信履歴データに分類されることを特徴とする請求項３記載の電話装置。
【請求項５】
前記比較手段での比較結果に応じて、先頭から所定桁数までの番号が一致する電話番号を前記蓄積手段から読み出す一致番号選定読み出し手段を含み、
前記表示手段は前記一致番号選定読み出し手段で読み出された電話番号を表示することを特徴とする請求項１から４いずれかに記載の電話装置。
【請求項６】
前記一致番号選定読み出し手段で読み出された電話番号のうちの１つを選択する選択手段を含むことを特徴とする請求項５記載の電話装置。
【請求項７】
所定の電話番号の入力完了を検出する入力完了検出手段と、
前記入力完了検出手段にて所定の電話番号の入力完了が検出された後に、電話番号の不一致が所定桁数以内の電話番号を前記蓄積手段から読み出す不一致番号選定読み出し手段を含み、
前記表示手段は前記不一致番号選定読み出し手段で読み出された電話番号を表示することを特徴とする請求項１から６いずれかに記載の電話装置。
【請求項８】
前記不一致番号選定読み出し手段で読み出された電話番号のうちの１つを選択する選択手段を含むことを特徴とする請求項７記載の電話装置。
【請求項９】
他の蓄積手段から電話番号を読み込むインターフェース手段を含むことを特徴とする請求項１から８いずれかに記載の電話装置。
【請求項１０】
所定の電話番号が蓄積される蓄積部を含む電話装置におけるダイヤル入力方法であって、
入力される電話番号と、前記蓄積部に蓄積された電話番号とを先頭から１桁ごとに比較する比較ステップと、
前記電話番号同士を１桁比較するたびに、その比較結果を表示する表示ステップとを含むことを特徴とするダイヤル入力方法。
【請求項１１】
前記表示ステップは表示を制御する表示制御ステップと、表示を行う表示部とを含んで構成され、
前記表示部はバックライト付液晶表示装置であり、前記表示制御ステップは前記電話番号同士の比較結果に応じて前記バックライトの色を変更することを特徴とする請求項１０記載のダイヤル入力方法。
【請求項１２】
前記蓄積部に蓄積される電話番号は用途別に分類されており、前記表示制御ステップは前記電話番号同士の比較結果に応じて前記バックライトの色を用途別に変更することを特徴とする請求項１１記載のダイヤル入力方法。
【請求項１３】
前記電話番号は電話帳データ、リダイヤルデータおよび着信履歴データに分類されることを特徴とする請求項１２記載のダイヤル入力方法。
【請求項１４】
前記比較ステップでの比較結果に応じて、先頭から所定桁数までの番号が一致する電話番号を前記蓄積部から読み出す一致番号選定読み出しステップを含み、
前記表示部は前記一致番号選定読み出しステップで読み出された電話番号を表示することを特徴とする請求項１０から１３いずれかに記載のダイヤル入力方法。
【請求項１５】
前記一致番号選定読み出しステップで読み出された電話番号のうちの１つを選択する選択ステップを含むことを特徴とする請求項１４記載のダイヤル入力方法。
【請求項１６】
所定の電話番号の入力完了を検出する入力完了検出ステップと、
前記入力完了検出ステップにて所定の電話番号の入力完了が検出された後に、電話番号の不一致が所定桁数以内の電話番号を前記蓄積部から読み出す不一致番号選定読み出しステップを含み、
前記表示部は前記不一致番号選定読み出しステップで読み出された電話番号を表示することを特徴とする請求項１０から１５いずれかに記載のダイヤル入力方法。
【請求項１７】
前記不一致番号選定読み出しステップで読み出された電話番号のうちの１つを選択する選択ステップを含むことを特徴とする請求項１６記載のダイヤル入力方法。
【請求項１８】
他の蓄積部から電話番号を読み込むインターフェースステップを含むことを特徴とする請求項１０から１７いずれかに記載のダイヤル入力方法。
【請求項１９】
所定の電話番号が蓄積される蓄積部を含む電話装置におけるダイヤル入力方法のプログラムであって、
コンピュータに、入力される電話番号と、前記蓄積部に蓄積された電話番号とを先頭から１桁ごとに比較する比較処理と、
前記電話番号同士を１桁比較するたびに、その比較結果を表示する表示処理とを実行させるためのプログラム。
【発明の詳細な説明】
【技術分野】
【０００１】
本発明は、電話装置およびそのダイヤル入力方法ならびにプログラムに関し、特に電話帳データ等の蓄積機能を備えた電話装置およびそのダイヤル入力方法ならびにプログラムに関する。
【背景技術】
【０００２】
従来の電話装置、一例として従来の携帯電話には電話帳データ、リダイヤルデータ、着信履歴データ等を蓄積するデータ蓄積部を備えたものがある。このデータ蓄積部に含まれる電話番号であれば、その電話番号を呼び出すことによって、電話番号を間違えることなく発信することができる。
【０００３】
しかし、電話帳に登録されていることを忘れていたり、リダイヤルデータや着信履歴データに入っていることを把握していない相手に電話を掛けるとき、電話番号を直接ダイヤル入力することがある。
【０００４】
その場合、よく発信や着信をする相手であっても、ダイヤル入力の際に番号の押し間違い等によって電話番号を間違えることがある。
【０００５】
一方、ダイヤル入力後に、入力した電話番号が電話帳、リダイヤルデータ、着信履歴データ等の蓄積データに含まれているか否かを表示する技術は知られている。
【０００６】
また、正確に相手に電話を掛けることができたとしても、実際に相手につながるまでは正しい番号なのかどうかは判らず、通話を完了した後も、既に電話帳に登録してあることや、以前に発信や着信した相手であるということに気づかないままになってしまうことがある。
【０００７】
そこで、これらの課題を解決する手段として、入力した電話番号数字列と蓄積したデータの数字列とを先頭から１桁ごとに逐次比較する電話装置が開示されている（例えば、特許文献１参照）。
【０００８】
また、定められた桁数までの番号が入力されると、表示色を変化させあるいはメッセージ表示させ、定められた桁数を超えて入力されるとメッセージ表示させる通信装置が開示されている（例えば、特許文献２参照）。
【０００９】
【特許文献１】特開２００５−２１７６２５号公報（段落００５６，００５７、図３および図４）
【特許文献２】特開２００５−３１１６０５号公報（段落００５７，００６２、図４および図５）
【発明の開示】
【発明が解決しようとする課題】
【００１０】
しかし、従来の電話装置では、ダイヤル入力が完了するまで、入力した電話番号が蓄積データに含まれているか否かを発信者に通知することができないという課題があった。
【００１１】
一方、特許文献１開示の発明は、入力した電話番号数字列と蓄積したデータの数字列とを比較し、部分一致する電話番号を全て表示する構成であるが、本発明はダイヤル入力途中で入力中の電話番号が蓄積データに含まれているか否かを表示する構成であり、特許文献１開示の発明と本発明では構成が全く相違する。
【００１２】
また、特許文献２開示の発明は、番号の入力に応じて表示色を変化等させるものであるが、表示色によってダイヤル入力の番号が蓄積データに含まれているか否かを表示するものではない。
【００１３】
そこで本発明の目的は、ダイヤル入力の途中で、その電話番号が蓄積データに含まれているか否かを表示することが可能な電話装置およびそのダイヤル入力方法ならびにプログラムを提供することにある。
【課題を解決するための手段】
【００１４】
前記課題を解決するために本発明による電話装置は、所定の電話番号が蓄積される蓄積手段を含む電話装置であって、入力される電話番号と、前記蓄積手段に蓄積された電話番号とを先頭から１桁ごとに比較する比較手段と、前記電話番号同士を１桁比較するたびに、その比較結果を表示する表示手段とを含むことを特徴とする。
【００１５】
また、本発明によるダイヤル入力方法は、所定の電話番号が蓄積される蓄積部を含む電話装置におけるダイヤル入力方法であって、入力される電話番号と、前記蓄積部に蓄積された電話番号とを先頭から１桁ごとに比較する比較ステップと、前記電話番号同士を１桁比較するたびに、その比較結果を表示する表示ステップとを含むことを特徴とする。
【００１６】
また、本発明によるプログラムは、所定の電話番号が蓄積される蓄積部を含む電話装置におけるダイヤル入力方法のプログラムであって、コンピュータに、入力される電話番号と、前記蓄積部に蓄積された電話番号とを先頭から１桁ごとに比較する比較処理と、前記電話番号同士を１桁比較するたびに、その比較結果を表示する表示処理とを実行させることを特徴とする。
【００１７】
ここで、本発明の作用を述べる。本発明による電話装置は、バックライトにより背景色を変化させることができるモニタを備える電話装置において、発信者がダイヤルする際、入力中のダイヤル番号数字列と、蓄積データ（電話帳データ、リダイヤルデータ、着信履歴データ等）に含まれる電話番号数字列とを先頭から１桁ごとに逐次比較し、ダイヤル中の数字列が蓄積データに含まれる可能性がある場合、モニタのバックライト色が変化することを特徴とする。
【００１８】
すなわち、モニタのバックライト色を変化させることにより、ダイヤル中の電話番号が蓄積データに含まれている可能性があることを発信者に通知する。
【００１９】
また、電話番号数字列と蓄積データとが合致しなくなった時点で、液晶モニタのバックライトの色を別の色に変化させる等により、ダイヤル入力中の電話番号は電話帳データ内にはなく、発信あるいは着信もない番号であることを発信者に通知する。
【００２０】
ダイヤル入力完了まで液晶モニタのバックライトの色が蓄積データ内の電話番号と一致していることを示していれば、ダイヤルした番号は電話帳に既に登録されているか、もしくは以前に発信や着信があった相手であることが容易に判るため、蓄積データの存在を発信者に通知することができるとともに、発信者に安心感を与えることができる。
【発明の効果】
【００２１】
本発明によれば、上記構成を含むため、ダイヤル入力の途中で、その電話番号が蓄積データに含まれているか否かを表示することが可能となる。
【発明を実施するための最良の形態】
【００２２】
以下、本発明の実施例について添付図面を参照しながら説明する。
【実施例１】
【００２３】
図１は本発明に係る電話装置の第１実施例の構成図である。本発明では電話装置の一例として携帯電話について説明するが、これに限定するものではなく、固定電話あるいは他の携帯端末に適用することも可能である。
【００２４】
同図を参照すると、本発明に係る電話装置１０は、ダイヤルボタン（入力装置）１と、ダイヤル番号数字列記憶メモリ２と、制御部３と、モニタ（出力装置）４と、データ蓄積部５と、プログラム格納部６とを含んで構成される。
【００２５】
ダイヤルボタン（入力装置）１は発信者がダイヤル時に操作するキーパネル等の装置である。ダイヤル番号数字列記憶メモリ２は入力ダイヤル番号数字列を記憶するメモリである。
【００２６】
制御部３は、比較部１１と、モニタバックライト制御部１２と、モニタ点灯回路（Ａ色／Ｂ色）１３とを含んで構成される。
【００２７】
比較部１１はデータ蓄積部５内のデータと入力ダイヤル番号数字列とを先頭から１桁ごとに逐次比較する部位である。モニタバックライト制御部１２はモニタ（出力装置）４のバックライト色を制御する部位である。モニタ点灯回路（Ａ色／Ｂ色）１３はモニタ（出力装置）４のバックライトを点灯させる部位である。
【００２８】
モニタ（出力装置）４はダイヤル中の電話番号等を表示可能な装置であり、一例としてバックライト付液晶表示装置である。
【００２９】
データ蓄積部５は電話帳データ蓄積部２１と、リダイヤルデータ蓄積部２２と、着信履歴データ蓄積部２３とを含んで構成される。
【００３０】
電話帳データ蓄積部２１は電話装置の使用者があらかじめ複数の電話番号を登録しておくことが可能な部位である。リダイヤルデータ蓄積部２２は過去に発信した電話番号を自動的に記憶する部位である。着信履歴データ蓄積部２３は過去に着信した電話番号を自動的に記憶する部位である。
【００３１】
プログラム格納部６には後述するダイヤル入力方法のプログラムが格納されている。
【００３２】
本発明では、比較部１１の比較結果に応じ、モニタバックライト制御部１２を介してモニタ（出力装置）４のバックライト色を変化させることにより、ダイヤルした電話番号が既に電話帳に登録してあることや、以前に発信や着信した相手であることを発信者に通知する。
【００３３】
次に、第１実施例の動作について図２を参照しながら説明する。図２は第１実施例の動作を示すフローチャートである。なお、以下の動作は制御部３がダイヤル番号数字列記憶メモリ２、モニタ（出力装置）４、データ蓄積部５を制御することにより実行される。
【００３４】
まず、モニタ（出力装置）４のバックライト色をＡ色に設定する（初期値）（ステップＳ１）。
【００３５】
次に、ダイヤル入力の桁数ｎ（ｎは正の整数）を“１”（初期値）に設定する（ステップＳ２）。
【００３６】
次に、発信者が電話番号の先頭の１桁目をダイヤルボタン１から入力する（ステップＳ３）。
【００３７】
入力されたダイヤル番号数字列はダイヤル番号数字列記憶メモリ２に蓄積され、外部からのダイヤル入力があったことを検出する（ステップＳ４にて“Ｙ”）。また、入力されたダイヤル番号数字列はモニタ（出力装置）４に表示される。
【００３８】
なお、外部からのダイヤル入力があったことを検出しない場合（ステップＳ４にて“Ｎ”）、すなわち何か特別な処理がされない限り、モニタ（出力装置）４は既に設定されている色のバックライト色を維持する（ステップＳ５）。なお、初期設定ではバックライト色はＡ色に設定されているものとする。
【００３９】
次に、比較部１１によりダイヤル入力された１桁目の電話番号と電話帳データ蓄積部２１に含まれる全ての電話番号数字列の１桁目とが比較される（ステップＳ６）。
【００４０】
次に、先頭からｎ桁目まで一致する電話番号が存在するか否かが調べられるが（ステップＳ７）、まだｎ＝１なので、１桁目だけを調べ、１桁目が一致する電話番号が存在する場合は（ステップＳ７にて“Ｙ”）、モニタバックライト制御部１２を介してモニタ点灯回路（Ａ色／Ｂ色）１３に信号を出力し、モニタ（出力装置）４のバックライトの色をＡ色からＢ色に変更する（ステップＳ８）。
【００４１】
次に、ステップＳ７にて１桁目が一致する電話番号が存在しない場合は（ステップＳ７にて“Ｎ”）、電話帳データに一致する電話番号数字列が存在しないと判定され、リダイヤルデータとの比較がなされる（ステップＳ１１）。
【００４２】
比較の結果、１桁目が一致するリダイヤルデータが存在する場合（ステップＳ１２にて“Ｙ”）、モニタバックライト制御部１２を介してモニタ点灯回路（Ａ色／Ｂ色）１３に信号を出力し、モニタ（出力装置）４のバックライトの色をＡ色からＢ色に変更する（ステップＳ８）。
【００４３】
一方、ステップＳ１２において、１桁目が不一致となった場合（ステップＳ１２にて“Ｎ”）、リダイヤルデータに一致する電話番号数字列が存在しないと判定され、着信履歴データとの比較がなされる（ステップＳ１３）。
【００４４】
比較の結果、１桁目が一致する着信履歴データが存在する場合（ステップＳ１４にて“Ｙ”）、モニタバックライト制御部１２を介してモニタ点灯回路（Ａ色／Ｂ色）１３に信号を出力し、モニタ（出力装置）４のバックライトの色をＡ色からＢ色に変更する（ステップＳ８）。
【００４５】
一方、ステップＳ１４において、１桁目が不一致となった場合（ステップＳ１４にて“Ｎ”）、着信履歴データに一致する電話番号数字列が存在しないと判定され、モニタ４のバックライトの色をＡ色のまま保持する（ステップＳ１５）。
【００４６】
この場合のバックライトのＡ色は、電話番号の先頭の１桁目を入力した時点で入力を希望する電話番号が電話帳データ、リダイヤルデータ、着信履歴データのいずれにも含まれないことを表示している。
【００４７】
これに対し、ステップＳ７で１桁目が一致した場合は、バックライトの色がＢ色に変わるため、電話番号の先頭の１桁目を入力した時点で入力を希望する電話番号が電話帳データに含まれていることが判る（ステップＳ８）。
【００４８】
同様に、ステップＳ１２で１桁目が一致した場合は、バックライトの色がＢ色に変わるため、電話番号の先頭の１桁目を入力した時点で入力を希望する電話番号がリダイヤルデータに含まれていることが判る（ステップＳ８）。
【００４９】
同様に、ステップＳ１４で１桁目が一致した場合は、バックライトの色がＢ色に変わるため、電話番号の先頭の１桁目を入力した時点で入力を希望する電話番号が着信履歴データに含まれていることが判る（ステップＳ８）。
【００５０】
次に、ステップＳ８にてモニタ（出力装置）４のバックライトの色がＢ色に変わった場合について説明する。
【００５１】
この時点では、入力した電話番号の１桁目が電話帳データ、リダイヤルデータ、着信履歴データのいずれかに必ず含まれている。
【００５２】
桁数ｎがカウントアップされ、“２”となる（ステップＳ９）。
【００５３】
次に、ダイヤル入力が完了したか否かが調べられ（ステップＳ１０）、完了の場合は（ステップＳ１０にて“Ｙ”）、処理は終了となる。
【００５４】
一方、ダイヤル入力が完了していない場合は（ステップＳ１０にて“Ｎ”）、ステップＳ３に戻り、発信者が電話番号の２桁目をダイヤルボタン（入力装置）１から入力する（ステップＳ３）。
【００５５】
入力されたダイヤル番号数字列はダイヤル番号数字列記憶メモリ２に蓄積され、外部からのダイヤル入力があったことを検出する（ステップＳ４にて“Ｙ”）。また、入力されたダイヤル番号数字列はモニタ（出力装置）４に表示される。
【００５６】
なお、外部からのダイヤル入力があったことを検出しない場合（ステップＳ４にて“Ｎ”）、すなわち何か特別な処理がされない限り、モニタ（出力装置）４は既に設定されている色のバックライト色を維持する（ステップＳ５）。
【００５７】
次に、比較部１１によりダイヤル入力された１〜２桁目の電話番号と電話帳データ蓄積部２１に含まれる全ての電話番号数字列の１〜２桁目とが比較される（ステップＳ６）。
【００５８】
次に、１〜２桁目を調べ、１〜２桁目が一致する電話番号が存在する場合は（ステップＳ７にて“Ｙ”）、モニタ（出力装置）４のバックライトの色をＡ色からＢ色に変更する（ステップＳ８）。
【００５９】
次に、ステップＳ７にて１〜２桁目が一致する電話番号が存在しない場合は（ステップＳ７にて“Ｎ”）、電話帳データに一致する電話番号数字列が存在しないと判定され、リダイヤルデータとの比較がなされる（ステップＳ１１）。
【００６０】
比較の結果、１〜２桁目が一致するリダイヤルデータが存在する場合（ステップＳ１２にて“Ｙ”）、モニタ４のバックライトの色をＡ色からＢ色に変更する（ステップＳ８）。
【００６１】
一方、ステップＳ１２において、１〜２桁目が不一致となった場合（ステップＳ１２にて“Ｎ”）、リダイヤルデータに一致する電話番号数字列が存在しないと判定され、着信履歴データとの比較がなされる（ステップＳ１３）。
【００６２】
比較の結果、１〜２桁目が一致する着信履歴データが存在する場合（ステップＳ１４にて“Ｙ”）、モニタ（出力装置）４のバックライトの色をＡ色からＢ色に変更する（ステップＳ８）。
【００６３】
一方、ステップＳ１４において、１〜２桁目が不一致となった場合（ステップＳ１２にて“Ｎ”）、着信履歴データに一致する電話番号数字列が存在しないと判定され、モニタ（出力装置）４のバックライトの色をＡ色のまま保持あるいはＢ色からＡ色に変更する（ステップＳ１５）。
【００６４】
この場合のバックライトのＡ色は、電話番号の２桁目を入力した時点で入力を希望する電話番号が電話帳データ、リダイヤルデータ、着信履歴データのいずれにも含まれないことを表示している。
【００６５】
これに対し、ステップＳ７で１〜２桁目が一致した場合は、バックライトの色がＢ色に変わるため、電話番号の２桁目を入力した時点で入力を希望する電話番号が電話帳データに含まれていることが判る（ステップＳ８）。
【００６６】
同様に、ステップＳ１２で１〜２桁目が一致した場合は、バックライトの色がＢ色に変わるため、電話番号の２桁目を入力した時点で入力を希望する電話番号がリダイヤルデータに含まれていることが判る（ステップＳ８）。
【００６７】
同様に、ステップＳ１４で１〜２桁目が一致した場合は、バックライトの色がＢ色に変わるため、電話番号の２桁目を入力した時点で入力を希望する電話番号が着信履歴データに含まれていることが判る（ステップＳ８）。
【００６８】
以上、桁数ｎが“１”および“２”の場合の動作を述べたが、Ｎ＝３以降の動作も“１”および“２”の場合の動作と同様であるため、その説明を省略する。
【００６９】
以上説明したように、本発明の第１実施例によれば、ダイヤル入力数字列が電話装置に蓄積された電話帳データ、リダイヤルデータ、着信履歴データと自動的に比較されることにより、発信者は特別な操作を行うことなく、ダイヤル番号がそれらの蓄積データに含まれる番号か否かを知ることが可能となる。そして、もし含まれていれば、蓄積データの存在を発信者に通知することができるとともに、発信者に安心感を与えることが可能となる。
【００７０】
また、ダイヤル番号を１桁ずつ比較して比較結果を出力する構成であるため、ダイヤル途中に掛け間違いに気づく可能性が高くなることも挙げられる。また、発信者への通知手段としてバックライトの色変化という方法を用いることにより、ダイヤル番号が表示される背景色が変わるため視認性がよいという利点もある。
【実施例２】
【００７１】
図３は本発明に係る電話装置の第２実施例の構成図である。なお、同図において図１と同様の構成部分については同一番号を付し、その説明を省略する。
【００７２】
第２実施例が第１実施例と異なる点は、入力した電話番号が電話帳データ、リダイヤルデータ、着信履歴データのどれに含まれるのかを、バックライトの色により区別して発信者に通知する点である。
【００７３】
このため、制御部７内のモニタ点灯回路１４はＡ色、Ｂ色、Ｃ色およびＤ色の４色を切り替える構成としている（図３参照）。
【００７４】
図４は第２実施例の動作を示すフローチャートである。なお、図２のフローチャートと同様のステップについては同一番号を付し、その説明を省略する。第２実施例ではモニタ点灯回路１４でＡ色、Ｂ色、Ｃ色およびＤ色の４色の切り替えを行うために、図２のステップＳ８の代わりに図４のステップＳ２１〜Ｓ２３を設けている。
【００７５】
すなわち、比較の結果、ダイヤル中の数字列が電話帳データと一致していればモニタ４のバックライトをＢ色に変更する処理を行い（ステップＳ２１）、リダイヤルデータと一致していればモニタ４のバックライトをＣ色に変更する処理を行い（ステップＳ２２）、着信履歴データと一致していればモニタ４のバックライトをＤ色に変更する処理を行う（ステップＳ２３）。また、いずれとも不一致であれば、モニタ４のバックライトをＡ色に戻す処理を行う（ステップＳ１５）。
【００７６】
なお、第２実施例では、モニタ色の優先順位は、最上位が電話帳データ、次いでリダイヤルデータ、最下位が着信履歴データの順となっているが、これに限定するものではなく、順序は任意に設定が可能である。
【００７７】
以上説明したように、本発明の第２実施例によれば、入力した電話番号が電話帳データ、リダイヤルデータ、着信履歴データのどれに含まれるのかを、バックライトの色により区別して発信者に通知することが可能となる。
【実施例３】
【００７８】
図５は本発明に係る電話装置の第３実施例の構成図である。なお、同図において図１および図３と同様の構成部分については同一番号を付し、その説明を省略する。
【００７９】
第３実施例では、入力ダイヤル番号数字列と先頭から数桁以上一致する電話帳データ、リダイヤルデータまたは着信履歴データを発信電話番号の候補として読み出す番号選定読み出し部１５を新たに追加し、候補となる番号をモニタ（出力装置）４に表示し、選択可能とする（図５参照）。
【００８０】
図６は第３実施例の動作を示すフローチャートである。なお、図２および図４のフローチャートと同様のステップについては同一番号を付し、その説明を省略する。図６は図４のフローに新たにステップＳ３１〜Ｓ３３を追加したものである。
【００８１】
第３実施例では、候補として表示するのは入力ダイヤル番号数字列と、電話帳データ、リダイヤルデータまたは着信履歴データとの一致桁数が先頭から４桁以上の場合とするが、これに限定するものではなくこの桁数は任意に設定が可能である。
【００８２】
図６を参照すると、モニタ色をＢ色（ステップＳ２１）、Ｃ色（ステップＳ２２）、あるいはＤ色（ステップＳ２３）に変更後、入力中のダイヤル番号数字列が４桁以上になると（ステップＳ３１にて“Ｙ”）、その時点でデータ蓄積部２１〜２３（図５参照）に含まれる電話番号のうち一致している番号をモニタ（出力装置）４に表示し、発信者が確認および選択できるようにする（ステップＳ３２およびＳ３３）。
【００８３】
ここで、候補として表示された電話番号を選択すると（ステップＳ３３にて“Ｙ”）、動作は終了となる。一方、候補を選択せず（ステップＳ３３にて“Ｎ”）、かつダイヤル入力が未完了であれば（ステップＳ１０にて“Ｎ”）、桁数ｎをカウントアップし（ステップＳ９）、ステップＳ３以降の処理を行う。
【００８４】
なお、図６のフローチャートには記載していないが、電話帳データに登録されているにも関わらず何度も直接ダイヤル入力される場合、その入力回数に応じて番号の優先順位を上げることにより、上記候補に入る桁数を引き下げる構成も可能である。
【００８５】
また、第３実施例では、モニタ色の優先順位は、最上位が電話帳データ、次いでリダイヤルデータ、最下位が着信履歴データの順となっているが、これに限定するものではなく、順序は任意に設定が可能である。
【００８６】
以上説明したように、本発明の第３実施例によれば、電話番号の入力途中で候補の電話番号が表示され、その中から発信者が希望する電話番号を選択する構成であるため、電話番号の入力作業を軽減することが可能となる。
【実施例４】
【００８７】
図７は本発明に係る電話装置の第４実施例の構成図である。なお、同図において図１、図３および図５と同様の構成部分については同一番号を付し、その説明を省略する。
【００８８】
第４実施例では、ダイヤル完了後の入力数字列が蓄積データに酷似した番号（例えば数字の１桁ないし２桁違い等）であれば、その旨を通知してダイヤル番号と蓄積データの確認を促す。
【００８９】
このため、第４実施例では、第３実施例の構成（図５参照）にダイヤル入力が完了したことを検出するダイヤル入力完了検出部１６（図７参照）を追加している。
【００９０】
図８は第４実施例の動作を示すフローチャートである。なお、図２、図４および図６のフローチャートと同様のステップについては同一番号を付し、その説明を省略する。図８は図６のフローに新たにステップＳ４１〜Ｓ４４を追加したものである。
【００９１】
第４実施例では、ダイヤル途中に蓄積データのどれとも一致しなかった入力ダイヤル番号数字列が処理の対象となる。
【００９２】
図８を参照すると、ダイヤル入力が完了するまでステップＳ３からステップＳ１５までの動作を繰り返し行うが、既にダイヤル入力数字列は蓄積データに不一致であることが確定しているため、モニタ（出力装置）４の色はＡ色を維持している（ステップＳ１５参照）。
【００９３】
ダイヤル入力完了がダイヤル入力完了検出部１６によって検出されると（ステップＳ４１にて“Ｙ”）、ダイヤル入力による電話番号が全ての蓄積データと比較される（ステップＳ４２）。
【００９４】
一方、ダイヤル入力完了がダイヤル入力完了検出部１６によって検出されない場合は（ステップＳ４１にて“Ｎ”）、ステップＳ３に戻る。
【００９５】
ステップＳ４２では、ダイヤル入力数字列の１桁目からｎ桁目までと、蓄積データに含まれる全ての電話番号の１桁目からｎ桁目までのそれぞれ同じ桁を比較する。
【００９６】
そして、異なる数字の桁が２桁以内であると判断された場合は（ステップＳ４３にて“Ｙ”）、発信電話番号の候補として表示し、発信者が選択可能とする（ステップＳ４４）。
【００９７】
一方、異なる数字の桁が２桁以内であると判断されない場合は（ステップＳ４３にて“Ｎ”）、動作は終了となる。
【００９８】
なお、第４実施例では、一例として異なる数字の桁数を２桁以内としたが、これに限定するものではなく、異なる数字の桁数は任意に設定が可能である。
【００９９】
また、第４実施例では、モニタ色の優先順位は、最上位が電話帳データ、次いでリダイヤルデータ、最下位が着信履歴データの順となっているが、これに限定するものではなく、順序は任意に設定が可能である。
【０１００】
図９は第４実施例の動作の一例を示す模式図である。同図を参照すると、ダイヤル入力した数字列が“１２３−４５６−７８９０”で、これと比較した蓄積データ内の電話番号の１つが電話番号ａ“１２３−６４５−０９８７”である場合を示している。
【０１０１】
この場合、各桁を比較すると、ダイヤル入力した数字列のうちの“４５６−７８９０”が蓄積データ内の電話番号ａと不一致となっている。不一致の桁数は７桁であり、この場合電話番号ａは候補として表示されない（ステップＳ４３にて“Ｎ”）。
【０１０２】
一方、比較した蓄積データ内の電話番号の他の１つが電話番号ｂ“１２３−４６５−７８９０”である場合、各桁を比較すると、ダイヤル入力した数字列のうちの“５６”が蓄積データ内の電話番号ｂと不一致となっている。不一致の桁数は２桁であり、この場合電話番号ｂは候補として表示される（ステップＳ４３にて“Ｙ”およびステップＳ４４）。
【０１０３】
以上説明したように、本発明の第４実施例によれば、わずかな桁数の番号入力ミスよる掛け間違いを防止することが可能となる。
【実施例５】
【０１０４】
図１０は本発明に係る電話装置の第５実施例の構成図である。なお、同図において図１と同様の構成部分については同一番号を付し、その説明を省略する。
【０１０５】
第５実施例では、図１０に示すように、図１の構成に外部メモリ接続インターフェース５１と、電話帳データ蓄積部５２とを追加している。外部メモリ接続インターフェース５１は制御部３内の比較部１１と接続され、かつ電話帳データ蓄積部５２と接続される。
【０１０６】
電話帳データ蓄積部５２は外部に設けられる蓄積部であり、一例としてメモリカード等の記録媒体である。この電話帳データ蓄積部５２に蓄積された電話番号を外部メモリ接続インターフェース５１によって読み込み、比較データとして加える。
【０１０７】
以上説明したように、本発明の第５実施例によれば、比較データ範囲をさらに拡大することが可能となる。
【０１０８】
なお、上記第１〜第５実施例では発信者に通知する方法としてモニタ（出力装置）４の色を変化させる方式を挙げたが、これに限定するものではなく、他の通知方法の適用も可能である。例えば、前述の動作例でのモニタを点灯させる要領で比較部より信号を送り、その信号の受け側が単純なＬＥＤ（light emitting diode）ランプ点灯回路もしくはプッシュトーンの音色を変化させる回路であってもよい。
【実施例６】
【０１０９】
第６実施例はダイヤル入力方法のプログラムに関するものである。前述のとおり、本発明に係る電話装置１０，２０，３０、４０および５０はプログラム格納部６を含んでいる（図１，３，５，７および９参照）。このプログラム格納部６には、図２、４、６および８にフローチャートで示すダイヤル入力方法のプログラムが格納されている。
【０１１０】
制御部３，７，８および９（図１，３，５，７および９参照）は、プログラム格納部６からこのダイヤル入力方法のプログラムを読み出し、そのプログラムにしたがって、ダイヤル番号数字列記憶メモリ２と、モニタ（出力装置）４と、データ蓄積部５とを制御する。その制御の内容は既に述べたので、ここでの説明は省略する。
【０１１１】
以上説明したように、本発明の第６実施例によれば、ダイヤル入力の途中で、その電話番号が蓄積データに含まれているか否かを表示することが可能なプログラムが得られる。
【図面の簡単な説明】
【０１１２】
【図１】本発明に係る電話装置の第１実施例の構成図である。
【図２】第１実施例の動作を示すフローチャートである。
【図３】本発明に係る電話装置の第２実施例の構成図である。
【図４】第２実施例の動作を示すフローチャートである。
【図５】本発明に係る電話装置の第３実施例の構成図である。
【図６】第３実施例の動作を示すフローチャートである。
【図７】本発明に係る電話装置の第４実施例の構成図である。
【図８】第４実施例の動作を示すフローチャートである。
【図９】第４実施例の動作の一例を示す模式図である。
【図１０】本発明に係る電話装置の第５実施例の構成図である。
【符号の説明】
【０１１３】
１  ダイヤルボタン（入力装置）
２  ダイヤル番号数字列記憶メモリ
３，７，８，９  制御部
４  モニタ（出力装置）
５  データ蓄積部
６  プログラム格納部
１０，２０，３０  電話装置
１１  比較部
１２  モニタバックライト制御部
１３，１４  モニタ点灯回路
１５  番号選定読み出し部
１６  ダイヤル入力完了検出部
２１  電話帳データ蓄積部
２２  リダイヤルデータ蓄積部
２３  着信履歴データ蓄積部
４０，５０  電話装置
５１  外部メモリ接続インターフェース
５２  電話帳データ蓄積部
【図１】
2008124943.tif 000003
【図２】
2008124943.tif 000004
【図３】
2008124943.tif 000005
【図４】
2008124943.tif 000006
【図５】
2008124943.tif 000007
【図６】
2008124943.tif 000008
【図７】
2008124943.tif 000009
【図８】
2008124943.tif 000010
【図９】
2008124943.tif 000011
【図１０】
2008124943.tif 000012